(57)【特許請求の範囲】
【請求項１】
脚台に螺合した調整ネジの頂部で巾木が載る受板を支持してなる巾木ジャッキを、床面に固定された床レールの内側に設置し、床レールに被せた巾木を巾木ジャッキで支持し、巾木の上にパネルを載せて支持するパネル支持装置において、
前記巾木ジャッキの受板に設けた下方に突出する舌片を、脚台の上面に設けたスリットに差し入れて脚台の脚片に重合させるとともに、床レールの底面に一体に固定した略U字形に屈曲した固定板で、前記舌片を脚片との間に挟み込んで固定する構成を有することを特徴とするパネル支持装置。
【発明の詳細な説明】
【技術分野】
【０００１】
本発明は、巾木の上にパネルを立て並べて室内空間を仕切る間仕切りパネルの支持装置に関する。
【背景技術】
【０００２】
室内空間を間仕切りパネルで仕切る場合、床面の不陸を解消するため、パネルが載る巾木の高さをパネル支持装置で調整している。
従来のパネル支持装置として、例えば図３に示されるように、床面Ｆに床レール２を固定するともに、床レール２の内部に巾木ジャッキ３を設置し、巾木ジャッキ３の支持高さを調整した上で、巾木４を床レール２に被せて巾木ジャッキ３でこれを支持させ、巾木４の上にパネル５を載せて支持する構成のものが知られている。図中、符号６は、巾木４の凹部に嵌合させて図示されない支柱間に掛け渡される巾木チャネルである。
【０００３】
巾木４の高さを調整する巾木ジャッキ３は、図４に示されるように、略々Ｕ字断面形に屈曲した床レール２の内側面間にぴったりと内嵌合する寸法を有して略々下向きＵ字断面形に鋼材を屈曲させて形成された脚台３１と、脚台３１の上面に螺合する調整ネジ３２と、調整ネジ３２の広幅な頂部３２ａに載って支持される鋼製の受板３３とにより構成してある。
より詳しくは、脚台３１は、調整ネジ３２の螺合孔３１ａが形成された上面部であって脚片３１ｂ、３１ｂが下折れする両側の根元部分に、脚片３１ｂ、３１ｂに沿って延びたスリット３１ｃ、３１ｃを設けて形成してある。また、受板３３は、調整ネジ３２を操作するための開口３３ａが開けられた上面の両側に、巾木４の下面を支持する上方へ起立した一対の支持片３３ｂ、３３ｂをそれぞれ設けるとともに、支持片３３ｂの間に当該上面から垂直に下方へ突出した舌片３３ｃ、３３ｃを設けて形成してある。そして、脚台３１に調整ネジ３２を螺合し、この調整ネジ３２の頂部３２ａに、舌片３３ｃ、３３ｃを脚台３１のスリット３１ｃ、３１ｃに差し入れた受板３３を載せ、受板３３の開口３３ａから調整ネジ３２を回転操作して、巾木４を支持する受板３３の高さを調節できるようになっている。
【０００４】
このように構成されたパネル支持装置１では、受板３３の舌片３３ｃ、３３ｃが脚台３１のスリット３１ｃ、３１ｃに係入しているため、受板３３は頂部３２ａ上面から外れることなく調整ネジ３２上に保持され、調整ネジ３２の回転操作に支障が生じることはない。しかし、脚台３１に形成されたスリット３１ｃは舌片３３ｃを差し込み易いように、舌片３３ｃの外形よりも若干大きく形成されているため、スリット３１ｃ内で舌片３３ｃの周囲には隙間ができ、そのため、受板３３がガタついて揺れたり傾いたりして、受板３３を水平状態に維持することができなかった。
【０００５】
受板３３がガタつくと、その上で支持される巾木４が傾き、これにパネル５を載せた際に巾木４ごと倒れてしまうことがある。これを防止するための手段として、調整ネジ３２とは別に、受板３３に二本の連結ボルトを挿通し、両ボルトを脚台３１に螺合して、受板３３を脚台３１に一体化させることで、受板３３がガタつかないように巾木ジャッキ３を構成したものが知られている（例えば特許文献１の図１、図２参照）。
【０００６】
【特許文献１】実開平６−６７６２４号公報
【発明の開示】
【発明が解決しようとする課題】
【０００７】
連結ボルトで受板３３を脚台３１に連結すれば、受板３３は確かに固定されてガタつかないものの、連結ボルトを脚台３１に目分量で螺合したのでは、調整ネジ３２で調整した巾木４の高さが変わってしまったり、受板３３を任意の方向に傾けて固定してしまったりすることがある。そのため、連結ボルトの螺合操作は、受板３３が水平であることを確認しつつ、高さを調整しながら行わなければならず、取り付けに手間がかかるという問題があった。
脚台３１のスリット３１ｃと受板３３の舌片３３ｃを互いに揺動不能に強固に嵌合する寸法形状に設けることも考えられるが、その場合、調整ネジ３２に載せた受板３３が半固定されるため、調整ネジ３２による受板３３の高さ調整がし難くなり、また、受板３３を傾けて嵌合させてしまったときは傾きを直せなくなってしまう。何よりもスリット３１ｃと舌片３３ｃが隙間無く嵌合する形状に形成すること自体が難しく、仮に形成できたとしても部材作製コストが高くなってしまう。
【０００８】
本発明は従来技術の有するこのような問題点に鑑み、調整ネジの回転操作に支障を生じさせることなく、簡易な構成で受板のガタつきを抑え、巾木を水平状態に安定的に保持することができるようにパネル支持装置を構成することを課題とする。
【課題を解決するための手段】
【０００９】
前記課題を解決するため本発明は、脚台に螺合した調整ネジの頂部で巾木が載る受板を支持してなる巾木ジャッキを、床面に固定された床レールの内側に設置し、床レールに被せた巾木を巾木ジャッキで支持し、巾木の上にパネルを載せて支持するパネル支持装置において、前記巾木ジャッキの受板に設けた下方に突出する舌片を、脚台の上面に設けたスリットに差し入れて脚台の脚片に重合させるとともに、床レールの底面に一体に固定した略々U字形に屈曲した固定板で、前記舌片を脚片との間に挟み込んで固定する構成を有することを特徴とする。
【００１０】
これによれば、スリットに差し入れた受板の舌片は、脚台の下側で、その一側の面が脚片、他側の面が固定板に当接し、両部材で挟持されて固定され、受板がガタつくことを防止して、受板は調整ネジの上部に安定的に保持される。スリットは挟持状態で固定されているだけなので、回転ネジで受板を上下移動させることに支障はなく、また、どちらかの舌片がスリットに深く差し込まれて受板が傾いてしまっているときには、手で傾いた受板を操作して水平に直すことが可能であり、受板上で水平に保持された巾木に、パネルを手際よく載せて支持し、取り付けることが可能である。
【発明を実施するための最良の形態】
【００１１】
本発明の好適な一実施形態を図面を参照して説明する。
図１は本発明の一実施形態のパネル支持装置の構成断面図、図２は固定板の外観図であり、図中、従来例と同一の部材には同一の符号を付してある。
【００１２】
図示した形態のパネル支持装置１は、図３に示された従来例と同様に、床面Ｆに床レール２を固定するともに、床レール２の内部に巾木ジャッキ３を設置し、巾木ジャッキ３を高さ調整した上で、巾木４を床レール２に被せて巾木ジャッキ３でこれを支持させ、巾木４の上にパネル５を載せて支持する構成のものであり、さらに、床レール２の底面２１に固定板７を重ね合わせ、ビスなどの固着具８で一体に固定した構成としてある。
【００１３】
固定板７は、図２に示されるように、適宜な幅及び長さの鋼板を略々Ｕ字断面形に屈曲してなり、床レール２の底面２１に重合する底面部７１の中央に、固着具８が挿通する開口７１ａを形成し、底面部７１の両側を上方へ垂直に折れた側面部７２、７２とするとともに両側面部７２、７２の先端を内方へ斜めに屈曲させて形成してある。両側面部７２、７２間の幅は、脚台３１の脚片３１ｂ、３１ｂ間の幅よりも若干小さく設定し、図１に示されるように、脚片３１ｂと側面部７２との間に舌片３３ｃが挟まって入り込み、側面部７２が舌片３３ｃに圧接するように設けてある。
【００１４】
本形態のパネル支持装置１を用いて床面Ｆにパネル５を取り付ける手順は、先ず、床面Ｆに床レール２を設置するとともに、床レール２内に固定板７を重ねて設置し、両部材を固着具８で一体に床面Ｆに固定する。
床レール２を固定したならば、当該レール内の所定の位置に支柱（図示せず）を立設させておく。
【００１５】
次いで、巾木ジャッキ３を構成する脚台３１を床レール２に内嵌合して床レール２の底面２１に脚片３１ｂ、３１ｂを当接させ、脚台３１の上面には調整ネジ３２を螺合し、この調整ネジ３２の頂部３２ａに受板３３を載せ、受板３３の舌片３３ｃ、３３ｃは脚台３１のスリット３１ｃ、３１ｃに差し入れる。
このとき、スリット３１ｃ、３１ｃから脚台３１の下側に係入した舌片３３ｃ、３３ｃは、それぞれ脚片３１ｂと固定板７の側面部７２の間の隙間に入り込み、両部材に挟まれて固定されるので、受板３３が調整ネジ３２上でガタつくことはない。
【００１６】
そして、受板３３の開口３３ａから調整ネジ３２を回転操作し、受板３３の高さを調節した上で、巾木４を床レール２に被せ、巾木４の下面を受板３３の各支持片３３ｂで支持する。
受板３３で支持された巾木４は、受板３３がガタつかないため、当初の支持位置に水平状態を保ったまま安定的に保持され、その上に載る巾木チャネル６とパネル５とを安定的に支持することができる。
その後、巾木４で支持したパネル５の周囲を支柱などに固定し、パネル５の取り付け作業が完了する。
【００１７】
このように本形態のパネル支持装置１は、受板３３の舌片３３ｃ、３３ｃを、脚台３１の下側で脚片３１ｂと固定板７の側面部７２とで挟んで固定するため、調整ネジ３２の上部で受板３３がガタつくことを防止し、受板３３で支持する巾木４を水平状態に安定的に保持することができる。巾木４が水平に保持されるので、これに載せるパネル５が傾くことはなく、巾木４上にパネル５を手際良く載せて支持し、取り付けることが可能である。
【００１８】
なお、図示したパネル支持装置１の構成は一例であり、本発明はこれに限定されず、他の適宜な形態に構成可能である。
【図面の簡単な説明】
【００１９】
【図１】本発明の一実施形態のパネル支持装置の構成断面図である。
【図２】図１の固定板の外観図である。
【図３】従来のパネル支持装置の構成断面図である。
【図４】巾木ジャッキの部材展開外観図である。
【符号の説明】
【００２０】
１  パネル支持装置、２  床レール、３  巾木ジャッキ、３１  脚台、３２  調整ネジ、３３  受板、４  巾木、５  パネル、６  巾木チャネル、７  固定板、８  固着具、Ｆ  床面
【図１】
0004768515.tif 000002
【図２】
0004768515.tif 000003
【図３】
0004768515.tif 000004
【図４】
0004768515.tif 000005